(57)【要約】【課題】文書作成者および文書閲覧者が自身の所定の個人情報を入力することにより文書の暗号化および復号化を行うことができる文書保護管理システムおよび方法を提供する。【解決手段】社員が文書を暗号化するために第１の端末１１に入力されたこの社員の社員コードは認証サーバ２０およびＯＡサーバ３０に送信される。認証サーバ２０は社員コードに基づいて社員の属性情報を検索して第１の端末１１に送信し、ＯＡサーバ３０は社員コードに基づいて社員の属性情報を検索して文書参照・更新権限範囲パターン表とともに第１の端末１１に送信する。第１の端末１１は、社員の属性情報に基づいて文書参照・更新権限範囲パターン表を検索して文書参照・更新権限範囲を示すパターン番号を取得しそのうちの１つを社員に選択させる画面を表示する。第１の端末１１は社員が選択したパターン番号に基づいて暗号鍵を生成するとともに、生成した暗号鍵で文書を暗号化する。【選択図】  図１
2005196620.tif 000002
【特許請求の範囲】
【請求項１】
文書作成者が使用する端末（１１）と、
該端末（１１）と相互接続されたかつ前記文書作成者の属性情報と文書参照・更新権限範囲をパターン識別子で示す文書参照・更新権限範囲パターン表とが格納されたサーバ（２０，３０）と、
を備え、
前記文書作成者が文書を暗号化するために該文書作成者自身の所定の個人情報を前記端末（１１）に入力すると、
前記端末（１１）が、前記文書作成者自身の所定の個人情報を前記サーバ（２０，３０）に送信し、
前記サーバ（２０，３０）が、受信した前記文書作成者自身の所定の個人情報に基づいて前記文書作成者の属性情報を検索するとともに、該検索した文書作成者の属性情報と前記文書参照・更新権限範囲パターン表とを前記端末（１１）に送信し、
前記端末（１１）が、受信した前記文書作成者の属性情報に基づいて前記文書参照・更新権限範囲パターン表を検索して前記文書作成者が作成する文書に対する文書参照・更新権限範囲を示すすべてのパターン識別子を取得するとともに、該取得したすべてパターン識別子のうちの１つのパターン識別子を前記文書作成者に選択させる画面を表示し、
前記文書作成者が前記すべてのパターン識別子のうちの１つのパターン識別子を選択すると、前記端末（１１）が、該１つのパターン識別子に基づいて暗号鍵を生成するとともに、該生成した暗号鍵で前記文書を暗号化する、
ことを特徴とする、文書保護管理システム。
【請求項２】
前記端末（１１）に接続されたかつ前記文書作成者自身の所定の個人情報を読み取るための個人情報読取手段（１２）をさらに備えることを特徴とする、請求項１記載の文書保護管理システム。
【請求項３】
前記サーバ（２０，３０）と相互接続されたかつ文書閲覧者が使用する他の端末（１３）をさらに備え、
前記サーバ（２０，３０）が、前記文書閲覧者の属性情報をさらに格納しており、
前記文書閲覧者が前記暗号化された文書を復号化するために該文書閲覧者の自身の所定の個人情報を前記他の端末（１３）に入力すると、
前記他の端末（１３）が、前記文書閲覧者自身の所定の個人情報を前記サーバ（２０，３０）に送信し、
前記サーバ（２０，３０）が、受信した前記文書閲覧者自身の所定の個人情報に基づいて前記文書閲覧者の属性情報を検索するとともに、該検索した文書閲覧者の属性情報と前記文書参照・更新権限範囲パターン表とを前記他の端末（１３）に送信し、
前記他の端末（１３）が、受信した前記文書閲覧者の属性情報に基づいて前記文書参照・更新権限範囲パターン表を検索して前記文書作成者が作成する文書に対する文書参照・更新権限範囲を示すすべてのパターン識別子を取得し、該取得したすべてのパターン識別子の数の復号鍵をそれぞれ生成するとともに、該生成した復号鍵で前記暗号化された文書を復号化する、
ことを特徴とする、請求項１または２記載の文書保護管理システム。
【請求項４】
前記他の端末（１３）に接続されたかつ前記文書閲覧者自身の所定の個人情報を読み取るための他の個人情報読取手段（１４）をさらに備えることを特徴とする、請求項３記載の文書保護管理システム。
【請求項５】
前記個人情報読取手段（１２）および前記他の個人情報読取手段（１４）が、前記文書作成者の社員コードおよび前記文書閲覧者の社員コードが格納されたＩＣカードから該文書作成者の社員コードおよび該文書閲覧者の社員コードを読み取るためのＩＣカード読取機であり、
前記文書作成者の属性情報および前記文書閲覧者の属性情報が、前記文書作成者および前記文書閲覧者の所属部署および役職である、
ことを特徴とする、請求項４記載の文書保護管理システム。
【請求項６】
文書作成者が文書を暗号化するために該文書作成者自身の所定の個人情報を端末（１１）に入力するステップ（Ｓ１）と、
前記端末（１１）が前記文書作成者自身の所定の個人情報を、前記文書作成者の属性情報と文書参照・更新権限範囲をパターン識別子で示す文書参照・更新権限範囲パターン表とが格納されたサーバ（２０，３０）に送信するステップと、
前記サーバ（２０，３０）が、受信した前記文書作成者自身の所定の個人情報に基づいて前記文書作成者の属性情報を検索するとともに、該検索した文書作成者の属性情報と前記文書参照・更新権限範囲パターン表とを前記端末（１１）に送信するステップ（Ｓ２）と、
前記端末（１１）が、受信した前記文書作成者の属性情報に基づいて前記文書参照・更新権限範囲パターン表を検索して前記文書作成者が作成する文書に対する文書参照・更新権限範囲を示すすべてのパターン識別子を取得するとともに、該取得したすべてのパターン識別子のうちの１つのパターン識別子を前記文書作成者に選択させる画面を表示するステップ（Ｓ４）と、
前記文書作成者が前記すべてのパターン識別子のうちの１つのパターン識別子を選択するステップ（Ｓ５）と、
前記端末（１１）が、前記選択された１つのパターン識別子に基づいて暗号鍵を生成するとともに、該生成した暗号鍵で前記文書を暗号化するステップ（Ｓ６，Ｓ７）と、
を備えることを特徴とする、文書保護管理方法。
【請求項７】
文書閲覧者が前記暗号化された文書を復号化するために該文書閲覧者自身の所定の個人情報を他の端末（１３）に入力するステップ（Ｓ１１）と、
前記他の端末（１３）が、前記文書閲覧者自身の所定の個人情報を、該文書閲覧者の属性情報がさらに格納された前記サーバ（２０，３０）に送信するステップと、
前記サーバ（２０，３０）が、受信した前記文書閲覧者自身の所定の個人情報に基づいて前記文書閲覧者の属性情報を検索するとともに、該検索した文書閲覧者の属性情報と前記文書参照・更新権限範囲パターン表とを前記他の端末（１３）に送信するステップ（Ｓ１２，Ｓ１３）と、
前記他の端末（１３）が、受信した前記文書閲覧者の属性情報に基づいて前記文書参照・更新権限範囲パターン表を検索して前記文書閲覧者の文書参照・更新権限範囲を示すパターン識別子をすべて取得するステップ（Ｓ１４）と、
前記他の端末（１３）が、前記取得したすべてのパターン識別子に基づいて該取得したすべてのパターン識別子の数の復号鍵をそれぞれ生成するとともに、該生成した復号鍵で前記暗号化された文書を復号化するステップ（Ｓ１５，Ｓ１６）と、
をさらに備えることを特徴とする、請求項６記載の文書保護管理方法。
【請求項８】
前記文書作成者自身の所定の個人情報および前記文書閲覧者自身の所定の個人情報が、前記文書作成者の社員コードおよび前記文書閲覧者の社員コードであり、
前記文書作成者の属性情報および前記文書閲覧者の属性情報が、前記文書作成者および前記文書閲覧者の所属部署および役職である、
ことを特徴とする、請求項７記載の文書保護管理方法。
【発明の詳細な説明】
【技術分野】
【０００１】
本発明は、文書保護管理システムおよび方法に関し、特に、社員の属性情報（所属部署や役職など）を用いて生成した暗号鍵で文書を暗号化して保存する文書保護管理システムおよび方法に関するものである。
【背景技術】
【０００２】
社員が端末（パソコンなど）を用いて作成した文書（特に、機密文書）を社内共通のデータベースに保存する際には、この文書を参照および更新する権限を有する社員以外の社員が閲覧することができないようにするために、共通鍵を用いてこの文書を暗号化して保存したり（たとえば、以下に示す特許文献１参照）、電子証明書を用いてこの文書を暗号化するとともに参照および更新の制限をしたりしている。また、文書を参照および更新する権限を有する社員がデータベースに暗号化されて保存された文書を閲覧する際にも、この社員は共通鍵または電子証明書を用いてこの文書を復号化している。
【特許文献１】特開２０００−２６７９３９号公報
【発明の開示】
【発明が解決しようとする課題】
【０００３】
しかしながら、共通鍵または電子証明書を用いて文書を暗号化する方法では、人事異動などで文書を参照および更新する権限を有する社員の範囲が変わると、共通鍵または電子証明書を変更して変更後の共通鍵または電子証明書で文書を暗号化して再度保存する必要が生じる。
また、同じ社員が作成した文書であっても、たとえば部署内でだけ閲覧できる文書であったり部署内の所定の役職以上の社員だけ閲覧できる文書であったりと、文書を参照および更新する権限を有する社員の範囲は同じであるとは限らないため、社員は文書の数に応じた複数個の共通鍵を管理する必要がある。
さらに、社員は、参照および更新する権限を有する社員以外の社員が文書を閲覧することを防止するために、かかる社員に共通鍵を知られないようにする必要がある。
【０００４】
本発明の目的は、文書作成者および文書閲覧者が自身の所定の個人情報を入力することにより文書の暗号化および復号化を行うことができる文書保護管理システムおよび方法を提供することにある。
【課題を解決するための手段】
【０００５】
本発明の文書保護管理システムは、文書作成者が使用する端末（１１）と、該端末（１１）と相互接続されたかつ前記文書作成者の属性情報と文書参照・更新権限範囲をパターン識別子で示す文書参照・更新権限範囲パターン表とが格納されたサーバ（２０，３０）とを備え、前記文書作成者が文書を暗号化するために該文書作成者自身の所定の個人情報を前記端末（１１）に入力すると、前記端末（１１）が、前記文書作成者自身の所定の個人情報を前記サーバ（２０，３０）に送信し、前記サーバ（２０，３０）が、受信した前記文書作成者自身の所定の個人情報に基づいて前記文書作成者の属性情報を検索するとともに、該検索した文書作成者の属性情報と前記文書参照・更新権限範囲パターン表とを前記端末（１１）に送信し、前記端末（１１）が、受信した前記文書作成者の属性情報に基づいて前記文書参照・更新権限範囲パターン表を検索して前記文書作成者が作成する文書に対する文書参照・更新権限範囲を示すすべてのパターン識別子を取得するとともに、該取得したすべてパターン識別子のうちの１つのパターン識別子を前記文書作成者に選択させる画面を表示し、前記文書作成者が前記すべてのパターン識別子のうちの１つのパターン識別子を選択すると、前記端末（１１）が、該１つのパターン識別子に基づいて暗号鍵を生成するとともに、該生成した暗号鍵で前記文書を暗号化することを特徴とする。
ここで、前記端末（１１）に接続されたかつ前記文書作成者自身の所定の個人情報を読み取るための個人情報読取手段（１２）をさらに備えてもよい。
また、前記サーバ（２０，３０）と相互接続されたかつ文書閲覧者が使用する他の端末（１３）をさらに備え、前記サーバ（２０，３０）が、前記文書閲覧者の属性情報をさらに格納しており、前記文書閲覧者が前記暗号化された文書を復号化するために該文書閲覧者の自身の所定の個人情報を前記他の端末（１３）に入力すると、前記他の端末（１３）が、前記文書閲覧者自身の所定の個人情報を前記サーバ（２０，３０）に送信し、前記サーバ（２０，３０）が、受信した前記文書閲覧者自身の所定の個人情報に基づいて前記文書閲覧者の属性情報を検索するとともに、該検索した文書閲覧者の属性情報と前記文書参照・更新権限範囲パターン表とを前記他の端末（１３）に送信し、前記他の端末（１３）が、受信した前記文書閲覧者の属性情報に基づいて前記文書参照・更新権限範囲パターン表を検索して前記文書作成者が作成する文書に対する文書参照・更新権限範囲を示すすべてのパターン識別子を取得し、該取得したすべてのパターン識別子の数の復号鍵をそれぞれ生成するとともに、該生成した復号鍵で前記暗号化された文書を復号化してもよい。
さらにまた、前記他の端末（１３）に接続されたかつ前記文書閲覧者自身の所定の個人情報を読み取るための他の個人情報読取手段（１４）をさらに備えてもよい。
さらにまた、前記個人情報読取手段（１２）および前記他の個人情報読取手段（１４）が、前記文書作成者の社員コードおよび前記文書閲覧者の社員コードが格納されたＩＣカードから該文書作成者の社員コードおよび該文書閲覧者の社員コードを読み取るためのＩＣカード読取機であり、前記文書作成者の属性情報および前記文書閲覧者の属性情報が、前記文書作成者および前記文書閲覧者の所属部署および役職であってもよい。
【０００６】
本発明の文書保護管理方法は、文書作成者が文書を暗号化するために該文書作成者自身の所定の個人情報を端末（１１）に入力するステップ（Ｓ１）と、前記端末（１１）が前記文書作成者自身の所定の個人情報を、前記文書作成者の属性情報と文書参照・更新権限範囲をパターン識別子で示す文書参照・更新権限範囲パターン表とが格納されたサーバ（２０，３０）に送信するステップと、前記サーバ（２０，３０）が、受信した前記文書作成者自身の所定の個人情報に基づいて前記文書作成者の属性情報を検索するとともに、該検索した文書作成者の属性情報と前記文書参照・更新権限範囲パターン表とを前記端末（１１）に送信するステップ（Ｓ２）と、前記端末（１１）が、受信した前記文書作成者の属性情報に基づいて前記文書参照・更新権限範囲パターン表を検索して前記文書作成者が作成する文書に対する文書参照・更新権限範囲を示すすべてのパターン識別子を取得するとともに、該取得したすべてのパターン識別子のうちの１つのパターン識別子を前記文書作成者に選択させる画面を表示するステップ（Ｓ４）と、前記文書作成者が前記すべてのパターン識別子のうちの１つのパターン識別子を選択するステップ（Ｓ５）と、前記端末（１１）が、前記選択された１つのパターン識別子に基づいて暗号鍵を生成するとともに、該生成した暗号鍵で前記文書を暗号化するステップ（Ｓ６，Ｓ７）とを備えることを特徴とする。
ここで、文書閲覧者が前記暗号化された文書を復号化するために該文書閲覧者自身の所定の個人情報を他の端末（１３）に入力するステップ（Ｓ１１）と、前記他の端末（１３）が、前記文書閲覧者自身の所定の個人情報を、該文書閲覧者の属性情報がさらに格納された前記サーバ（２０，３０）に送信するステップと、前記サーバ（２０，３０）が、受信した前記文書閲覧者自身の所定の個人情報に基づいて前記文書閲覧者の属性情報を検索するとともに、該検索した文書閲覧者の属性情報と前記文書参照・更新権限範囲パターン表とを前記他の端末（１３）に送信するステップ（Ｓ１２，Ｓ１３）と、前記他の端末（１３）が、受信した前記文書閲覧者の属性情報に基づいて前記文書参照・更新権限範囲パターン表を検索して前記文書閲覧者の文書参照・更新権限範囲を示すパターン識別子をすべて取得するステップ（Ｓ１４）と、前記他の端末（１３）が、前記取得したすべてのパターン識別子に基づいて該取得したすべてのパターン識別子の数の復号鍵をそれぞれ生成するとともに、該生成した復号鍵で前記暗号化された文書を復号化するステップ（Ｓ１５，Ｓ１６）とをさらに備えてもよい。
また、前記文書作成者自身の所定の個人情報および前記文書閲覧者自身の所定の個人情報が、前記文書作成者の社員コードおよび前記文書閲覧者の社員コードであり、前記文書作成者の属性情報および前記文書閲覧者の属性情報が、前記文書作成者および前記文書閲覧者の所属部署および役職であってもよい。
【発明の効果】
【０００７】
本発明の文書保護管理システムおよび方法は、以下に示すような効果を奏する。
（１）文書作成者および文書閲覧者が自身の所定の個人情報（たとえば、社員コードや指紋など）を入力することにより文書の暗号化および復号化を行うことができるため、文書作成者および文書閲覧者は文書を暗号化および復号化するための鍵の管理をする必要がない。
（２）文書作成者自身の所定の個人情報および文書参照・更新権限範囲を示すパターン識別子（たとえば、パターン番号）を入力するだけで文書の暗号化ができるため、文書作成者は文書の数が増えても文書を暗号化するための複数個の鍵を管理する必要がない。
（３）文書作成者および文書閲覧者が自身の所定の個人情報（たとえば、社員コードや指紋など）を専用の個人情報読取手段を用いて入力することにより、他人の個人情報（たとえば、他人の社員コード）を用いて文書を作成したり閲覧したりすることを防止することができる。
（４）たとえば所定の個人情報として社員コードを使用する場合には、社員が人事異動で部署が変わると、この社員の人事異動後の属性情報に基づいて選択した文書参照・更新権限範囲を示すパターン識別子に基づいて復号鍵が生成されるため、この社員が人事異動前には閲覧できた文書を人事異動後には閲覧することができなくすることができる。
【発明を実施するための最良の形態】
【０００８】
文書作成者および文書閲覧者が自身の所定の個人情報を入力することにより文書の暗号化および復号化を行うことができるという目的を、文書作成者自身の所定の個人情報および文書閲覧者自身の所定の個人情報から文書作成者の属性情報および文書閲覧者の属性情報を入手し、入手した属性情報に基づいて選択した文書参照・更新権限範囲を示すパターン識別子に基づいて暗号鍵および復号鍵を生成することにより実現した。
【実施例１】
【０００９】
以下、本発明の文書保護管理システムおよび方法の実施例について図面を参照して説明する。
本発明の一実施例による文書保護管理システム１は、図１に示すように、文書を作成する社員（文書作成者）が使用する第１の端末１１と、第１の端末１１に接続された第１のＩＣカード読取機１２（個人情報読取手段）と、文書を閲覧する社員（文書閲覧者）が使用する第２の端末１３（他の端末）と、第２の端末１３に接続された第２のＩＣカード読取機１４（他の個人情報読取手段）と、第１および第２の端末１１，１３と社内ＬＡＮなどで相互接続された認証サーバ２０と、第１および第２の端末１１，１３と社内ＬＡＮなどで相互接続されたＯＡサーバ３０と、第１および第２の端末１１，１３と社内ＬＡＮなどで相互接続されたデータベース４０とを備える。
【００１０】
認証サーバ２０には、表１に一例を示すような各社員の属性情報である所属部署および役職を示す所属コード・役職コード表が格納されている。なお、社員の人事異動があった場合には人事異動後のこの社員の所属部署および役職が反映された所属コード・役職コード表が直ちに認証サーバ２０に格納されるように、認証サーバ２０は人事情報管理サーバ（不図示）と連携されている。
【表１】
2005196620.tif 000003
【００１１】
ここで、社員コードは、社員ごとに付与された個人情報の一つであり、各社員が所有するＩＣカードに格納されている。
【００１２】
所属コードは、表２に一例を示すように、各社員の所属部署を示すとともに、社内で部署をまたがるワーキング・グループが設けられている場合にはこのワーキング・グループも示す。なお、所属コードは３桁からなり、最上位桁は部名を示し、下位２桁は課名を示す。すなわち、表２に示した例では、所属コード“１００”の最上位桁“１”は「情報システム部」を示し、下位２桁“００”は「情報システム部全体」を示す。所属コード“１１０”の最上位桁“１”は「情報システム部」を示し、下位２桁“１０”は「ａ課」を示す。所属コード“１２０”の最上位桁“１”は「情報システム部」を示し、下位２桁“２０”は「ｂ課」を示す。所属コード“４００”の最上位桁“４”は「総務部」を示し、下位２桁“００”は「総務部全体」を示す。所属コード“４１０”の最上位桁“４”は「総務部」を示し、下位２桁“１０”は「ｃ課」を示す。所属コード“９００”の最上位桁“９”は「ｄｄワーキング・グループ」を示し、下位２桁“００”は「ｄｄワーキング・グループ全体」を示す。
【表２】
2005196620.tif 000004
【００１３】
役職コードは、表３に一例を示すように、各社員の所属部署における役職を示すとともに、社内で部署をまたがるワーキング・グループが設けられている場合にはこのワーキング・グループにおける役職も示す。
【表３】
2005196620.tif 000005
【００１４】
ＯＡサーバ３０には、表４に一例を示すような各社員の属性情報である所属部署を示す所属コード一覧表が格納されている。この例は、社員コード“１１１１１１”および役職コード“１”（表１参照）の部長は「情報システム部」および「ｄｄワーキング・グループ」に属しており、社員コード“２２２２２２” および役職コード“２”（表１参照）の課長は「情報システム部ａ課」に属しており、社員コード“３３３３３３” および役職コード“３”（表１参照）の担当は「総務部ｃ課」に属していることを示す。なお、社員の人事異動があった場合には人事異動後のこの社員の所属部署が反映された所属コード一覧表が直ちにＯＡサーバ３０に格納されるように、ＯＡサーバ３０は上述した人事情報管理サーバと連携されている。
【表４】
2005196620.tif 000006
【００１５】
ＯＡサーバ３０には、表５に一例を示すような暗号化する文書を参照および更新する権限を有する範囲（以下、「文書参照・更新権限範囲」と称する。）をパターン番号で示す文書参照・更新権限範囲パターン表も格納されている。この例では、パターン番号「１」は「情報システム部全体」が文書参照・更新権限範囲であることを示し、したがって、パターン番号「１」が付された文書については情報システム部（所属コード“１００”）の部長と情報システム部ａ課（所属コード“１１０”）および情報システム部ｂ課（所属コード“１２０”）の全員とがそれを参照および更新する権限を有する。パターン番号「２」は「情報システム部の部長以上」が文書参照・更新権限範囲であることを示し、したがって、パターン番号「２」が付された文書については情報システム部（所属コード“１００”）の部長（役職コード“１”）がそれを参照および更新する権限を有する。パターン番号「３」は「情報システム部の課長以上」が文書参照・更新権限範囲であることを示し、したがって、パターン番号「３」が付された文書については情報システム部（所属コード“１００”）の部長（役職コード“１”）と情報システム部ａ課（所属コード“１１０”）および情報システム部ｂ課（所属コード“１２０”）の課長（役職コード“２”）とがそれを参照および更新する権限を有する。パターン番号「４」は「情報システム部ａ課の担当以上」が文書参照・更新権限範囲であることを示し、したがって、パターン番号「４」が付された文書については情報システム部（所属コード“１００”）の部長（役職コード“１”）と情報システム部ａ課（所属コード“１１０”）の課長および担当（役職コード“２”，“３”）とがそれを参照および更新する権限を有する。パターン番号「５」は「情報システム部ｂ課の担当以上」が文書参照・更新権限範囲であることを示し、したがって、パターン番号「５」が付された文書については情報システム部（所属コード“１００”）の部長（役職コード“１”）と情報システム部ｂ課（所属コード“１２０”）の課長および担当（役職コード“２”，“３”）とがそれを参照および更新する権限を有する。パターン番号「６」は「総務部ｃ課の担当以上」が文書参照・更新権限範囲であることを示し、したがって、パターン番号「６」が付された文書については総務部（所属コード“４００”）の部長（役職コード“１”）と総務部ｃ課（所属コード“４１０”）の課長および担当（役職コード“２”，“３”）とがそれを参照および更新する権限を有する。パターン番号「７」は「ｄｄワーキング・グループ全体」が文書参照・更新権限範囲であることを示し、したがって、パターン番号「７」が付された文書についてはｄｄワーキング・グループ（所属コード“９００”）の全員がそれを参照および更新する権限を有する。なお、社員の人事異動があった場合には人事異動後のこの社員の所属部署が反映された文書参照・更新権限範囲パターン表が直ちにＯＡサーバ３０に格納される。
【表５】
2005196620.tif 000007
【００１６】
データベース４０には、暗号化された文書が文書ファイルとして保存される。また、社員が暗号化された文書を閲覧する場合には、この社員はデータベース４０から該当の文書ファイルを読み出して、読み出した文書ファイル内の暗号化された文書を復号化する必要がある。
【００１７】
次に、文書を暗号化するときの文書保護管理システム１の動作について、図２に示すフローチャートを参照して説明する。
部署「情報システム部」に所属する社員コード“１１１１１１”の部長Ａが文書を作成してデータベース４０に保存する際には、部長Ａは、使用している第１の端末１１に接続されている第１のＩＣカード読取機１２に自身のＩＣカードを挿入して、ＩＣカードに格納されている社員コード“１１１１１１”を読み取らせる。第１のＩＣカード読取機１２によって読み取られた社員コード“１１１１１１”は第１の端末１１に送られる（ステップＳ１）。
【００１８】
続いて、社員コード“１１１１１１”は、第１の端末１１から認証サーバ２０に送信される。認証サーバ２０は、受信した社員コード“１１１１１１”に基づいて所属コード・役職コード表（表１参照）を検索し、部長Ａの所属コード“１００”および役職コード“１”を取得する。認証サーバ２０は、取得した部長Ａの所属コード“１００”および役職コード“１”を第１の端末１１に送信する（ステップＳ２）。
また、第１の端末１１は社員コード“１１１１１１”をＯＡサーバ３０にも送信する。ＯＡサーバ３０は、受信した社員コード“１１１１１１”に基づいて所属コード一覧表（表４参照）を検索して部長Ａの所属コード一覧“１００”および“９００”を取得する。ＯＡサーバ３０は、取得した部長Ａの所属コード一覧“１００”および“９００”と文書参照・更新権限範囲パターン表（表５参照）とを第１の端末１１に送信する（ステップＳ３）。
【００１９】
第１の端末１１は、ＯＡサーバ３０から受信した部長Ａの所属コード一覧“１００”および“９００”によれば部長Ａは２つの部署「情報システム部」および「ｄｄワーキング・グループ」に所属しており（表２参照）、また、認証サーバ３０から受信した部長Ａの役職コード“１”によれば部長Ａの役職は「部長」であること（表３参照）が分かる。そこで、第１の端末１１は、ＯＡサーバ３０から受信した文書参照・更新権限範囲パターン表を部長Ａの所属コード一覧“１００”および“９００”と役職コード“１”とに基づいて検索し、部長Ａが作成した文書に対する文書参照・更新権限範囲のパターン番号「１」〜「５」および「７」を取得する（表５参照）。その結果、第１の端末１１は、文書参照・更新権限範囲をパターン番号「１」〜「５」および「７」のいずれとして文書を暗号化するかを部長Ａに問い合せる問合せ画面を表示する（ステップＳ４）。
【００２０】
部長Ａは、第１の端末１１に表示された問合せ画面を見て、文書参照・更新権限範囲を指定するためにパターン番号を選択する（ステップＳ５）。
【００２１】
第１の端末１１は、選択された文書参照・更新権限範囲のパターン番号に基づいて暗号鍵を生成し（ステップＳ６）、作成した暗号鍵で文書を暗号化する（ステップＳ７）。暗号化された文書は文書ファイルとしてデータベース４０に保存される（ステップＳ８）。
【００２２】
次に、このようにして暗号化された文書を復号化するときの文書保護管理システム１の動作について、図３のフローチャートを用いて説明する。
部署「情報システム部ａ課」に所属する社員コード“２２２２２２”の課長Ｂ（文書閲覧者）が文書参照・更新権限範囲のパターン番号「３」（情報システム部の課長以上）に基づいて生成された暗号鍵で暗号化された文書を閲覧する際には、課長Ｂは、使用している第２の端末１３にこの文書の文書ファイルをデータベース４０から読み出すとともに、第２のＩＣカード読取機１４に自身のＩＣカードを挿入して、ＩＣカードに格納されている社員コード“２２２２２２”を読み取らせる。第２のＩＣカード読取機１４によって読み取られた社員コード“２２２２２２”は第２の端末１３に送られる（ステップＳ１１）。
【００２３】
続いて、社員コード“２２２２２２”は第２の端末１３から認証サーバ２０に送信される。認証サーバ２０は、受信した社員コード“２２２２２２”に基づいて所属部署コード・役職コード表（表１参照）を検索し、課長Ｂの所属コード“１１０”および役職コード“２”を取得する。認証サーバ２０は、取得した課長Ｂの所属コード“１１０”および役職コード“２”を第２の端末１３に送信する（ステップＳ１２）。
また、第２の端末１３は社員コード“２２２２２２”をＯＡサーバ３０にも送信する。ＯＡサーバ３０は、受信した社員コード“２２２２２２”に基づいて所属コード一覧表（表４参照）を検索して課長Ｂの所属コード一覧“１１０”を取得する。ＯＡサーバ３０は、取得した課長Ｂの所属コード一覧“１１０”と文書参照・更新権限範囲パターン表とを第２の端末１３に送信する（ステップＳ１３）。
【００２４】
第２の端末１３は、ＯＡサーバ３０から受信した課長Ｂの所属コード一覧“１１０”と認証サーバ２０から受信した課長Ｂの役職コード“２”とに基づいて文書参照・更新権限範囲パターン表を検索し、課長Ｂの文書参照・更新権限範囲のパターン番号である「１」，「３」および「４」を取得する（ステップＳ１４）。その結果、第２の端末１３は、この３つのパターン番号「１」，「３」および「４」に基づいて３つの復号鍵をそれぞれ生成したのち（ステップＳ１５）、生成した３つの復号鍵で文書ファイル内の暗号化された文書の復号化を行う（ステップＳ１６）。
このとき、文書参照・更新権限範囲のパターン番号「３」に基づいて生成された暗号鍵で暗号化された文書は、パターン番号「１」および「４」に基づいて生成された復号鍵を用いても復号化できないが、パターン番号「３」に基づいて生成された復号鍵を用いて復号化できるため、第２の端末１３は、復号化された文書を画面に表示する（ステップＳ１７）。これにより、課長Ｂは、部長Ａが作成した文書を閲覧することができる。
【００２５】
一方、たとえば、課長Ｂが文書参照・更新権限範囲のパターン番号「７」（ｄｄワーキング・グループ全体）に基づいて生成された暗号鍵で暗号化された文書を閲覧しようとしても、課長Ｂが選択できるパターン番号は「１」，「３」および「４」であるため、この３つのパターン番号に基づいて生成された復号鍵のいずれでもこの文書は復号化できない。これにより、部長Ａがｄｄワーキング・グループ用に作成した文書を課長Ｂが閲覧することを防止することができる。
【００２６】
また、課長Ｂが暗号化された文書の内容を更新する場合には、第２の端末１３は、この暗号化された文書を復号化する際に用いた復号鍵で更新後の文書を暗号化したのちに、この暗号化された文書の文書ファイルに上書き保存すればよい。
【００２７】
以上、本発明の一実施例による文書保護管理システム１について説明したが、その変形例について以下に説明する。
（１）パターン番号は、連続する数字ではなく、パターン番号と１対１に対応する乱数（たとえば、１２８ビットの乱数）であってもよい。この場合には、発生した乱数を文書参照・更新権限範囲パターン表に追加しておき、発生した乱数に基づいて暗号鍵および復号鍵を生成する。
（２）文書参照・更新権限範囲を示すパターン識別子としてパターン番号を用いたが、たとえばパターン名称などであってもよい。
（３）文書保護管理システム１では所定の個人情報として社員コードを使用したが、個人を特定できる他の個人情報（たとえば、指紋や虹彩など）を使用してもよい。
（４）文書保護管理システム１では部長Ａ（文書作成者）の社員コード“１１１１１１”および課長Ｂ（文書閲覧者）の社員コード“２２２２２２”を第１および第２のＩＣカード読取機１２，１４（個人情報読取手段）で読み取ったが、その代わりに、部長Ａおよび課長Ｂが自身の社員コードをキーボード入力するようにしてもよい。なお、このときには、本人か否かの確認をするために、パスワードを同時に入力させるようにしてもよい。
（５）文書保護管理システム１では部長Ａは第１の端末１１に表示されたパターン番号のうちから１つのパターン番号を選択したが、表示されたパターン番号には暗号化する文書に対する文書参照・更新権限範囲を示すパターン番号がない場合には、希望する文書参照・更新権限範囲とそれを示す新たなパターン番号を作成する指示とを第１の端末１１に要求してもよい。この場合には、第１の端末１１は、部長Ａが希望する文書参照・更新権限範囲を示す新たなパターン番号を作成するとともに、この新たなパターン番号を文書参照・更新権限パターン表に追加するようにＯＡサーバ３０に指示する。
（６）文書保護管理システム１では認証サーバ２０とＯＡサーバ３０とを別々のサーバとしたが、認証サーバ２０とＯＡサーバ３０とを１つのサーバとしてもよい。
【産業上の利用可能性】
【００２８】
以上説明したように、本発明の文書保護管理システムおよび方法は、たとえば社内において文書を社内共通のデータベースに暗号化して保存するのに利用することができる。
【図面の簡単な説明】
【００２９】
【図１】本発明の第１の実施例による文書保護管理システムを示すブロック図である。（実施例１）
【図２】図１に示した文書保護管理システム１の文書を暗号化するときの動作について説明するためのフローチャートである。（実施例１）
【図３】図１に示した文書保護管理システム１の文書を復号化するときの動作について説明するためのフローチャートである。（実施例１）
【符号の説明】
【００３０】
１  文書保護管理システム
１１，１３  端末
１２，１４  ＩＣカード読取機
２０  認証サーバ
３０  ＯＡサーバ
４０  データベース
Ｓ１〜Ｓ８，Ｓ１１〜Ｓ１７  ステップ
【図１】
2005196620.tif 000008
【図２】
2005196620.tif 000009
【図３】
2005196620.tif 000010